(57)【要約】【課題】種々のバリ取り加工条件に対応可能であると共に、ランニングコストを抑えることが可能なバリ取り工具を提供する。【解決手段】本発明のバリ取り工具１０は、回転シャフト１１の先端部の内部の機構部屋１５と、側面に開放したカッター部受容孔１４とが連通している。また、機構部屋１５内に収容された弾性リング５０は、カッター部受容孔１４に受容されたカッター部３０の基端部に当接し、通常は、カッター部３０がカッター部受容孔１４から突出した状態に維持している。そして、シャフト内流路４０の先端開口４５が、弾性リング５０の内側に開放し、弾性リング５０がシャフト内流路４０の先端開口４５を閉塞した構造になっている。【選択図】図２
2011110617.tif 000002
【特許請求の範囲】
【請求項１】
回転シャフトの先端部の側面に開放したカッター部受容孔に、カッター部を受容して内外方向に往復動可能に支持し、前記回転シャフトが回転した状態で前記カッター部をワークに押し付けてバリを除去可能なバリ取り工具において、
前記回転シャフトの先端部の内部に形成されて、前記カッター部受容孔が連通した機構部屋と、
前記機構部屋に収容されて、前記回転シャフトの中心軸を囲む環状をなすと共に前記カッター部の基端部に当接し、通常は、前記カッター部を前記カッター部受容孔の外側に突出させた状態に維持し、前記カッター部が前記ワークから受けた力によって弾性変形して前記カッター部の内側への移動を許容するゴム製又は樹脂製の弾性リングと、
前記回転シャフトの内部を軸方向に延び、前記回転シャフトの基端部の外面に開放した基端開口と、前記弾性リングの内側に開放した先端開口とを有し、前記基端開口から前記先端開口に向けて加圧流体を供給可能なシャフト内流路と、
前記弾性リングを含み、前記シャフト内流路の前記先端開口を閉塞する先端流体受圧部とを備えたことを特徴とするバリ取り工具。
【請求項２】
前記カッター部受容孔を複数設けて、共通の前記機構部屋に連通させると共に、前記カッター部を前記複数のカッター部受容孔に対応して複数設けて、共通の前記弾性リングに当接させたことを特徴とする請求項１に記載のバリ取り工具。
【請求項３】
前記弾性リングは、断面溝形をなしてその溝開口が中心軸側に向けられ、
前記機構部屋内には、前記弾性リングの内側を貫通し、前記弾性リングの溝開口縁が密着した１対のリング密着部を有するリング支持筒が設けられ、
前記シャフト内流路は、前記リング支持筒の内部まで延びかつ前記先端開口が前記１対のリング密着部の間で前記弾性リングの溝内空間に向かって開口したことを特徴とする請求項１又は２に記載のバリ取り工具。
【請求項４】
前記機構部屋に、前記回転シャフトの軸方向で対向しかつ平行に配置された第１リング端部当接面と第２リング端部当接面とを設けて、それらの間で前記弾性リングを軸方向で挟持し、前記弾性リングの基端側端面が当接した前記第１リング端部当接面のうち前記弾性リングとの環状当接領域の内側に、前記シャフト内流路の前記先端開口を開口させたことを特徴とする請求項１又は２に記載のバリ取り工具。
【請求項５】
前記弾性リングのうち前記カッター部との当接部分に位置決め貫通孔を形成し、前記位置決め貫通孔に前記カッター部の一部を嵌合して閉塞したことを特徴とする請求項１乃至４の何れか１の請求項に記載のバリ取り工具。
【請求項６】
前記回転シャフトは、回転シャフト本体と先端閉塞盤とを組み付けてなり、
前記回転シャフト本体には、前記機構部屋と、その機構部屋を前記回転シャフト本体の前面に開放した部品受入口とが形成され、前記先端閉塞盤により前記部品受入口が閉塞されるように構成したことを特徴とする請求項１乃至５の何れか１の請求項に記載のバリ取り工具。
【請求項７】
前記カッター部受容孔の軸方向の途中又は、前記カッター部受容孔と前記機構部屋との境界部分には、前記回転シャフトの中心軸側を向いた待受ストッパ面が形成され、前記カッター部には、前記待受ストッパ面に当接する段差ストッパ面が形成されたことを特徴とする請求項６に記載のバリ取り工具。
【請求項８】
前記弾性リングは、断面溝形をなしてその溝開口が中心軸側に向けられ、
前記先端閉塞盤から前記機構部屋側に突出して前記弾性リングの内側を貫通し、前記弾性リングの溝開口縁が密着した１対のリング密着部を有するリング支持筒が設けられると共に、前記リング支持筒の先端部が前記回転シャフト本体に結合されて、前記リング支持筒の内側まで前記シャフト内流路が延び、
前記シャフト内流路の前記先端開口は、前記リング支持筒のうち前記１対のリング密着部の間で前記弾性リングの溝内空間に向かって開口したことを特徴とする請求項６又は７に記載のバリ取り工具。
【請求項９】
前記１対のリング密着部には、前記弾性リングの溝開口縁が凹凸係合した係合溝が形成されたことを特徴とする請求項８に記載のバリ取り工具。
【請求項１０】
回転シャフトの先端部の外面に開放したカッター部受容孔に、カッター部を受容して内外方向に往復動可能に支持し、前記回転シャフトが回転した状態で前記カッター部をワークに押し付けてバリを除去可能なバリ取り工具において、
前記回転シャフトの先端部の内部に形成されて、前記カッター部受容孔が連通した機構部屋と、
前記機構部屋に収容されて前記カッター部の基端部に当接し、通常は、前記カッター部を前記カッター部受容孔の外側に突出させた状態に維持し、前記カッター部が前記ワークから受けた力によって弾性変形して前記カッター部の内側への移動を許容するゴム製又は樹脂製の弾性部材と、
前記回転シャフトの内部を軸方向に延び、前記回転シャフトの基端部の外面に開放した基端開口と、前記機構部屋内に開放した先端開口とを有し、前記基端開口から前記先端開口に向けて加圧流体を供給可能なシャフト内流路と、
前記弾性部材を含み、前記シャフト内流路の前記先端開口を閉塞する先端流体受圧部とを備えたことを特徴とするバリ取り工具。
【発明の詳細な説明】
【技術分野】
【０００１】
本発明は、回転シャフトの先端部に備えたカッター部受容孔に、カッター部を受容して内外方向に往復動可能に支持し、回転状態でカッター部をワークに押し付けてバリを除去可能なバリ取り工具に関する。
【背景技術】
【０００２】
この種のバリ取り工具の第１従来例として、カッター部受容孔に連通したシャフト内流路に、例えば工場エアーやクーラント等の流体を供給してその流体をカッター部受容孔から外側に排出し、その際の流体の動圧でカッター部を外側に付勢するバリ取り工具が知られている（例えば、特許文献１参照）。また、第２従来例として、カッター部受容孔の奥部に設けた弾性部材によって、カッター部を外側に付勢するバリ取り工具も知られている。
【先行技術文献】
【特許文献】
【０００３】
【特許文献１】特許第４１１３５０２号（第１図、第４図、請求項１）
【発明の概要】
【発明が解決しようとする課題】
【０００４】
しかしながら、上記した第１従来例のバリ取り工具では、カッター部を外側に付勢するために、工場エアー又はクーラントを大量に使用することになり、ランニングコストがかかるという問題があった。また、第１従来例のバリ取り工具では、ワークの材質等のバリ取り加工条件に応じてカッター部への付勢力を変更することができるが、第２従来例のバリ取り工具では、そのような変更を行うことができないので、それを補うために複数種類のバリ取り工具を用意しておく必要があり、イニシャルコストがかかるという問題があった。
【０００５】
本発明は、上記事情に鑑みてなされたもので、種々のバリ取り加工条件に対応可能であると共に、ランニングコストを抑えることが可能なバリ取り工具の提供を目的とする。
【課題を解決するための手段】
【０００６】
上記目的を達成するためになされた請求項１の発明に係るバリ取り工具は、回転シャフトの先端部の側面に開放したカッター部受容孔に、カッター部を受容して内外方向に往復動可能に支持し、回転シャフトが回転した状態でカッター部をワークに押し付けてバリを除去可能なバリ取り工具において、回転シャフトの先端部の内部に形成されて、カッター部受容孔が連通した機構部屋と、機構部屋に収容されて、回転シャフトの中心軸を囲む環状をなすと共にカッター部の基端部に当接し、通常は、カッター部をカッター部受容孔の外側に突出させた状態に維持し、カッター部がワークから受けた力によって弾性変形してカッター部の内側への移動を許容するゴム製又は樹脂製の弾性リングと、回転シャフトの内部を軸方向に延び、回転シャフトの基端部の外面に開放した基端開口と、弾性リングの内側に開放した先端開口とを有し、基端開口から先端開口に向けて加圧流体を供給可能なシャフト内流路と、弾性リングを含み、シャフト内流路の先端開口を閉塞する先端流体受圧部とを備えたところに特徴を有する。
【０００７】
請求項２の発明は、請求項１に記載のバリ取り工具において、カッター部受容孔を複数設けて、共通の機構部屋に連通させると共に、カッター部を複数のカッター部受容孔に対応して複数設けて、共通の弾性リングに当接させたところに特徴を有する。
【０００８】
請求項３の発明は、請求項１又は２に記載のバリ取り工具において、弾性リングは、断面溝形をなしてその溝開口が中心軸側に向けられ、機構部屋内には、弾性リングの内側を貫通し、弾性リングの溝開口縁が密着した１対のリング密着部を有するリング支持筒が設けられ、シャフト内流路は、リング支持筒の内部まで延びかつ先端開口が１対のリング密着部の間で弾性リングの溝内空間に向かって開口したところに特徴を有する。
【０００９】
請求項４の発明は、請求項１又は２に記載のバリ取り工具において、機構部屋に、回転シャフトの軸方向で対向しかつ平行に配置された第１リング端部当接面と第２リング端部当接面とを設けて、それらの間で弾性リングを軸方向で挟持し、弾性リングの基端側端面が当接した第１リング端部当接面のうち弾性リングとの環状当接領域の内側に、シャフト内流路の先端開口を開口させたところに特徴を有する。
【００１０】
請求項５の発明は、請求項１乃至４の何れか１の請求項に記載のバリ取り工具において、弾性リングのうちカッター部との当接部分に位置決め貫通孔を形成し、位置決め貫通孔にカッター部の一部を嵌合して閉塞したところに特徴を有する。
【００１１】
請求項６の発明は、請求項１乃至５の何れか１の請求項に記載のバリ取り工具において、回転シャフトは、回転シャフト本体と先端閉塞盤とを組み付けてなり、回転シャフト本体には、機構部屋と、その機構部屋を回転シャフト本体の前面に開放した部品受入口とが形成され、先端閉塞盤により部品受入口が閉塞されるように構成したところに特徴を有する。
【００１２】
請求項７の発明は、請求項６に記載のバリ取り工具において、カッター部受容孔の軸方向の途中又は、カッター部受容孔と機構部屋との境界部分には、回転シャフトの中心軸側を向いた待受ストッパ面が形成され、カッター部には、待受ストッパ面に当接する段差ストッパ面が形成されたところに特徴を有する。
【００１３】
請求項８の発明は、請求項６又は７に記載のバリ取り工具において、弾性リングは、断面溝形をなしてその溝開口が中心軸側に向けられ、先端閉塞盤から機構部屋側に突出して弾性リングの内側を貫通し、弾性リングの溝開口縁が密着した１対のリング密着部を有するリング支持筒が設けられると共に、リング支持筒の先端部が回転シャフト本体に結合されて、リング支持筒の内側までシャフト内流路が延び、シャフト内流路の先端開口は、リング支持筒のうち１対のリング密着部の間で弾性リングの溝内空間に向かって開口したところに特徴を有する。
【００１４】
請求項９の発明は、請求項８に記載のバリ取り工具において、１対のリング密着部には、弾性リングの溝開口縁が凹凸係合した係合溝が形成されたところに特徴を有する。
【００１５】
請求項１０の発明に係るバリ取り工具は、回転シャフトの先端部の外面に開放したカッター部受容孔に、カッター部を受容して内外方向に往復動可能に支持し、回転シャフトが回転した状態でカッター部をワークに押し付けてバリを除去可能なバリ取り工具において、回転シャフトの先端部の内部に形成されて、カッター部受容孔が連通した機構部屋と、機構部屋に収容されてカッター部の基端部に当接し、通常は、カッター部をカッター部受容孔の外側に突出させた状態に維持し、カッター部がワークから受けた力によって弾性変形してカッター部の内側への移動を許容するゴム製又は樹脂製の弾性部材と、回転シャフトの内部を軸方向に延び、回転シャフトの基端部の外面に開放した基端開口と、機構部屋内に開放した先端開口とを有し、基端開口から先端開口に向けて加圧流体を供給可能なシャフト内流路と、弾性部材を含み、シャフト内流路の先端開口を閉塞する先端流体受圧部とを備えたところに特徴を有する。
【発明の効果】
【００１６】
［請求項１の発明］
請求項１のバリ取り工具では、回転シャフトの先端部の内部の機構部屋と、側面に開放したカッター部受容孔とが連通している。また、機構部屋内に収容されたゴム製又は樹脂製の弾性リングは、カッター部受容孔に受容されたカッター部の基端部に当接し、通常は、カッター部がカッター部受容孔から突出した状態に維持している。ここで、本発明では、シャフト内流路の先端開口が、弾性リングの内側に開放して、弾性リングを含む先端流体受圧部が、シャフト内流路の先端開口を閉塞している。これにより、弾性リングは、その弾発力に、シャフト内流路内の流体圧力を加えた押圧力をカッター部に付与して、カッター部を外側に付勢することができる。そして、シャフト内流路に流体を付与するか否かの切り替え又は、流体圧力の変更によって弾性リングからカッター部に付与する押圧力を適宜変更することができ、種々のバリ取り加工条件に対応することが可能になる。しかも、流体の消費量が従来に比べて減り、これによりランニングコストを抑えることができる。
【００１７】
［請求項２の発明］
カッター部受容孔及びカッター部は、１つであってもよいし、複数であってもよい。カッター部受容孔及びカッター部を複数備えた場合は、弾性リングを軸方向に複数並べて各弾性リングにカッター部を当接させてもよいし、請求項２の構成のように、複数のカッター部を共通の弾性リングに当接させて、部品点数の削減を図ってもよい。
【００１８】
［請求項３の発明］
請求項３の発明のように弾性リングを内側からリング支持筒で支持することで安定した弾発力をカッター部に付与することが可能になる。また、請求項３の構成のように、弾性リングを断面溝形にしてその溝開口縁をリング支持筒に密着させると共にリング支持筒のうちリング密着部の間にシャフト内流路の先端開口を配置すれば、流体の漏れ防止機能が高まる。
【００１９】
［請求項４の発明］
また、請求項４の構成によれば、弾性リングが軸方向で第１と第２のリング端部当接面の間に挟持されるので、弾性リングの内側に支持部材を設けた場合に比べて、構造が簡素化されて低コストで製造可能になる。
【００２０】
［請求項５の発明］
請求項５の構成によれば、弾性リングとカッター部との当接位置が安定し、カッター部の挙動も安定する。
【００２１】
［請求項６の発明］
請求項６の構成によれば、回転シャフト本体から先端閉塞盤を離脱させて機構部屋を開放することで、バリ取り工具のメンテナンスを容易に行うことができる。
【００２２】
［請求項７の発明］
請求項７の構成によれば、回転シャフトの待受ストッパ面にカッター部の段差ストッパ面が当接し、カッター部受容孔の外側へのカッター部の突出量が安定する。
【００２３】
［請求項８，９の発明］
請求項８の構成によれば、先端閉塞盤から突出したリング支持筒に弾性リングを装着した状態で、先端閉塞盤を回転シャフト本体に組み付ければ、組付作業を容易に行うことができる。また、請求項９の構成のように、リング支持筒に、弾性リングの溝開口縁と凹凸係合した係合溝を形成しておけば、リング支持筒の軸方向における弾性リングの位置ずれが防がれると共に、リング支持筒と弾性リングとの間の密着度が増す。
【００２４】
［請求項１０の発明］
請求項１０のバリ取り工具では、回転シャフトの先端部の内部の機構部屋と、外面に開放したカッター部受容孔とが連通している。また、機構部屋内に収容されたゴム製又は樹脂製の弾性部材は、カッター部受容孔に受容されたカッター部の基端部に当接し、通常は、カッター部がカッター部受容孔から突出した状態に維持している。ここで、本発明では、シャフト内流路の先端開口が機構部屋内に開放し、弾性部材を含む先端流体受圧部が、シャフト内流路の先端開口を閉塞している。これにより、弾性部材は、その弾発力に、シャフト内流路内の流体圧力を加えた押圧力をカッター部に付与して、カッター部を外側に付勢することができる。そして、シャフト内流路に流体を付与するか否かの切り替え又は、流体圧力の変更によって弾性部材からカッター部に付与する押圧力を適宜変更することができ、種々のバリ取り加工条件に対応することが可能になる。しかも、流体の消費量が従来に比べて減り、これによりランニングコストを抑えることができる
【００２５】
なお、請求項１〜１０の何れかの本発明に係るバリ取り工具において、従来のバリ取り工具に比べて微量の流体が、弾性リング又は弾性部材と他の部位との間の隙間、又は、弾性リング又は弾性部材に形成した微小な孔を通ってカッター部受容孔の外側に漏れるように構成し、カッター部受容孔に対する外部から異物の侵入を防ぐようにしてもよい。
【図面の簡単な説明】
【００２６】
【図１】本発明の第１実施形態に係るバリ取り工具の側面図
【図２】バリ取り工具の先端ヘッド部の側断面図
【図３】バリ取り工具の先端ヘッド部の横断面図
【図４】バリ取り工具の正面図
【図５】ワーク及びバリ取り工具の側断面図
【図６】第２実施形態のバリ取り工具における先端ヘッド部の側断面図
【図７】第３実施形態のバリ取り工具における先端ヘッド部の側断面図
【図８】第４実施形態のバリ取り工具における先端ヘッド部の側断面図
【図９】バリ取り工具の先端ヘッド部の横断面図
【図１０】第５実施形態に係るバリ取り工具の側面図
【図１１】バリ取り工具の先端ヘッド部の側断面図
【図１２】バリ取り工具の先端ヘッド部の横断面図
【図１３】バリ取り工具の正面図
【発明を実施するための形態】
【００２７】
［第１実施形態］
以下、本発明の一実施形態を図１〜図５に基づいて説明する。本実施形態のバリ取り工具１０は、回転シャフト１１にカッター部３０と弾性リング５０とを組み付けて構成されている。また、回転シャフト１１は、回転シャフト本体１２に先端閉塞盤２０を組み付けてなる。その回転シャフト本体１２は、基端部から先端寄り位置まで均一外径の円筒軸部１２Ａになっていて、その円筒軸部１２Ａより先端側に先端ヘッド部１３（本発明の「回転シャフトの先端部」に相当する）を備えている。なお、先端ヘッド部１３は、円筒軸部１２Ａ側が円筒軸部１２Ａに向かって徐々に縮径したテーパー形状をなし、そのテーパー部分より先端側は略均一外径の円柱状になっている。
【００２８】
図２に示すように、先端ヘッド部１３には、先端面に開放した閉塞盤受容部１６が形成され、その閉塞盤受容部１６の奥側にリング収容部１７が形成されている。閉塞盤受容部１６は、断面円形をなし（図４参照）、リング収容部１７は、図３に示すように、断面が略四角形になっている。また、リング収容部１７の角筒状内側面の角部は、閉塞盤受容部１６の内面より外側に広がって、リング収容部１７の角筒状内側面における各辺の中央部分は、閉塞盤受容部１６の内面内側を横切っている。また、リング収容部１７の奥面には、断面円形の芯出し孔１８が開口し、さらにその奥部に雌螺子孔１９が形成され、その雌螺子孔１９の奥部に円筒軸部１２Ａの内側空間が連通している。
【００２９】
図３に示すように、先端ヘッド部１３には、側面に開放したカッター部受容孔１４が複数形成されている。具体的には、カッター部受容孔１４は、リング収容部１７の角筒状内側面における４辺の各平坦面の中央に配置され、先端ヘッド部１３の径方向で、先端ヘッド部１３におけるリング収容部１７の外側壁部を貫通している。即ち、本実施形態では、カッター部受容孔１４は４つ設けられて、先端ヘッド部１３の中心軸回りを均等配置されている。
【００３０】
図２に示すように、先端閉塞盤２０は、円板状の円形本体部２１の中心部からリング支持筒２２が突出した構造になっている。また、円形本体部２１は、閉塞盤受容部１６に丁度嵌合される外径及び厚さをなしている。
【００３１】
リング支持筒２２は、円筒状をなし、その基端部から先端側に向かって順番に、リング装着部２３、芯出し軸部２４、雄螺子部２５とを備えている。そして、先端閉塞盤２０の芯出し軸部２４が先端ヘッド部１３の芯出し孔１８に嵌合して、先端閉塞盤２０が先端ヘッド部１３に芯出しされ、先端閉塞盤２０の雄螺子部２５が先端ヘッド部１３の雌螺子孔１９に螺合していくと、先端閉塞盤２０の円形本体部２１が、先端ヘッド部１３における閉塞盤受容部１６とリング収容部１７との段差面に当接して位置決めされる。この状態で、リング収容部１７における閉塞盤受容部１６側の開放口が円形本体部２１によって閉塞されて、リング収容部１７の内側が本発明に係る機構部屋１５になる。また、その機構部屋１５の中心部にリング装着部２３が配置される。そのリング装着部２３には、図３に示すように、四方に側方分岐孔４３が貫通形成されてリング支持筒２２の中心部の中心空洞部４２に連通している。そして、中心空洞部４２が円筒軸部１２Ａの中心空洞部４１に連通して、これら中心空洞部４１，４２と側方分岐孔４３とから本発明に係るシャフト内流路４０が構成されている。また、リング支持筒２２の側面における各側方分岐孔４３の開口が、本発明に係るシャフト内流路４０の先端開口４５になっている。さらに、円筒軸部１２Ａにおける中心空洞部４１の基端部端面の開口が、本発明に係る基端開口４６（図１参照）になっている。
【００３２】
なお、円形本体部２１における外側端面には、先端閉塞盤２０を螺合操作するための工具係止凹部２０Ａが複数形成されている（図４参照）。
【００３３】
各カッター部受容孔１４には、カッター部３０がリング収容部１７側から受容されている。カッター部３０は、チップ支持部材３１の先端面に超硬チップ３４を固定した構造になっている。チップ支持部材３１は、カッター部受容孔１４に摺動可能に嵌合した円柱部３２と、その基端部から側方に張り出した鍔部３３とからなる。また、鍔部３３における円柱部３２との段差面は、本発明における段差ストッパ面３３Ｓになっている。そして、リング収容部１７の角筒状内側面における平坦面を本発明に係る待受ストッパ面１７Ｓとして、その待受ストッパ面１７Ｓに段差ストッパ面３３Ｓが当接してカッター部受容孔１４が外側に抜け出ないようになっている（図３参照）。
【００３４】
また、鍔部３３は、全体が円板状をなし、その周面における一部を切除するよに回転止平坦面３３Ｈが形成されている。そして、この回転止平坦面３３Ｈが、図２に示すように、先端閉塞盤２０における円形本体部２１の内面に宛がわれてカッター部３０の軸回りの回転が規制されている。
【００３５】
図３に示すように、カッター部３０の段差ストッパ面３３Ｓが待受ストッパ面１７Ｓに当接した状態で、円柱部３２の先端面はカッター部受容孔１４の内側に位置している。そして、円柱部３２の先端面に固定された超硬チップ３４のみが、先端ヘッド部１３の側面から外側に突出している。その超硬チップ３４は、底面が円柱部３２の先端面と同じ円形をなした円形ドーム形状になっている。そして、超硬チップ３４の底面が、例えば、工業用接着剤で円柱部３２の先端面に固定されている。なお、本実施形態の円柱部３２は、ハイス鋼で構成されている。
【００３６】
図２に示すように、リング支持筒２２におけるリング装着部２３には、その外側に弾性リング５０が嵌合されて、その弾性リング５０が機構部屋１５に収容されている。弾性リング５０は、例えば、工業用ゴムで構成され、断面溝形をなしてその溝開口が中心軸側に向けられている。即ち、弾性リング５０は、タイヤ構造になっている。また、弾性リング５０における１対の溝開口縁５０Ｍ，５０Ｍの内側には、リップ５１が形成されている。
【００３７】
弾性リング５０は、溝開口縁５０Ｍ，５０Ｍの外側部を、機構部屋１５における軸方向の１対の対向面に密着させると共に、溝開口縁５０Ｍ，５０Ｍの内周面をリング装着部２３の２箇所に密着させた状態になっている。また、前記したシャフト内流路４０の先端開口４５群は、リング装着部２３のうち弾性リング５０の溝開口縁５０Ｍ，５０Ｍが密着した１対のリング密着部の間に配置されている。これにより、先端開口４５群が、弾性リング５０の内側に開放すると共に、先端開口４５群が弾性リング５０によって閉塞されている。即ち、本実施形態では、本発明に係る「先端流体受圧部」が弾性リング５０のみで構成されている。
【００３８】
弾性リング５０の外周面には、各カッター部３０の基端部が当接している。そして、弾性リング５０は、通常は、カッター部３０をカッター部受容孔１４の外側に突出させた状態に維持し、カッター部３０が外側から押圧されると、弾性リング５０が弾性変形してカッター部３０の内側への移動が許容されるようになっている。
【００３９】
本実施形態のバリ取り工具１０の構成に関する説明は以上である。次に、このバリ取り工具１０の作用効果について説明する。図５に示したワークＷでは、第１の加工孔９１を加工した後に、その第１の加工孔９１と斜めに交差するように第２の加工孔９２が加工された結果、第１と第２の加工孔９１，９２との交差部分で第１の加工孔９１側にバリ９３が突出している。このようなバリ９３は、本実施形態のバリ取り工具１０を用いて切除することができる。
【００４０】
そのためには、バリ取り工具１０における回転シャフト１１の基端部を図示しない回転駆動源の回転出力軸に取り付け、その回転出力軸の中心部からバリ取り工具１０のシャフト内流路４０に、加圧流体（例えば、圧縮エアー）を供給可能な状態にする。そして、バリ取り工具１０を、第２の加工孔９２から第１の加工孔９１に向けて挿入して行く。このとき、例えば、第２の加工孔９２の内面の途中部分にカッター部３０による引っ掻き溝を付けたくない場合には、バリ取り工具１０のシャフト内流路４０への加圧流体の供給を停止しておく。また、バリ取り工具１０の回転を止めた状態でバリ取り工具１０を挿入していってもよい。
【００４１】
そして、第１と第２の加工孔９１，９２の交差部分の近傍にバリ取り工具１０の先端ヘッド部１３が到達したら、バリ取り工具１０を回転させながら軸方向に往復動して第１と第２の加工孔９１，９２の境界部分にカッター部３０を押し付ける。ここで、ワークＷが例えば、アルミのように硬度が低い材料の場合には、シャフト内流路４０への加圧流体の供給を停止するか、流体圧力を低くしておく。これにより、バリ９３が除去された後に、ワークＷの内面にカッター部３０が押し付けられてもカッター部３０がカッター部受容孔１４内に没入し、ワークＷの内面が過剰に切除される事態を防ぐことができる。
【００４２】
一方、ワークＷが例えば、鋼材のように硬度が高い材料である場合には、その硬度に応じてシャフト内流路４０への加圧流体の流体圧力を上げる。これにより、カッター部３０がカッター部受容孔１４内に没入し難くなり、通常では除去され難いバリ９３を除去することができる。
【００４３】
このとき、本実施形態のバリ取り工具１０では、加圧流体がバリ取り工具１０から大量に排出されることはない。なぜなら、本実施形態のバリ取り工具１０では、シャフト内流路４０の先端開口４５が、バリ取り工具１０の内部で弾性リング５０によって閉塞されているからである。これにより、加圧流体の消費量が従来に比べて減り、ランニングコストを抑えることができる。また、弾性リング５０は、その弾発力に、シャフト内流路４０内の流体圧力を加えた押圧力をカッター部３０に付与して、カッター部３０を外側に付勢することができる。これにより、上記したように、シャフト内流路４０に流体を付与するか否かの切り替え又は、流体圧力の変更によって弾性リング５０からカッター部３０に付与する押圧力を適宜変更することができ、種々のバリ取り加工条件に対応することが可能になる。また、本実施形態では、弾性リング５０を内側からリング支持筒２２で支持しているので、安定した押圧力をカッター部３０に付与することが可能になる。さらに、回転シャフト本体１２から先端閉塞盤２０を離脱させれば、機構部屋１５内が外側に開放されるので、メンテナンスを容易に行うことができる。
【００４４】
［第２実施形態］
本実施形態のバリ取り工具１０Ａは、図６に示されており、リング支持筒２２のうち弾性リング５０Ａの溝開口縁５０Ｍ，５０Ｍが密着する１対のリング密着部に、その弾性リング５０Ａの溝開口縁５０Ｍ，５０Ｍが凹凸係合した係合溝２６，２６を有する点が第１実施形態と異なる。その他の構成に関しては、第１実施形態と同じである。本実施形態のバリ取り工具１０Ａによれば、リング支持筒２２の軸方向における弾性リング５０の位置ずれが防がれると共に、リング支持筒２２と弾性リング５０Ａとの間の密着度が増す。
【００４５】
［第３実施形態］
本実施形態のバリ取り工具１０Ｂは、図７に示されており、弾性リング５０Ｂが円筒状をなし、その両端部が、機構部屋１５のうち軸方向で対向した第１と第２のリング端部当接面１５Ａ，１５Ｂの間に挟持されている。この構成により、弾性リング５０Ｂの構造が簡素化されて低コストで製造が可能になる。
【００４６】
［第４実施形態］
本実施形態は、図８〜図１０に示されており、第３実施形態を変形したものである。具体的には、本実施形態のバリ取り工具１０Ｃでは、図８に示すように、先端閉塞盤２０Ｃからリング支持筒２２が排除され、シャフト内流路４０の先端開口４５Ｃが、第１と第２のリング端部当接面１５Ａ，１５Ｂのうち円筒軸部１２Ａ側の第２のリング端部当接面１５Ｂの中心に開口している。そして、第２のリング端部当接面１５Ｂのうちの先端開口４５Ｃの回りに弾性リング５０Ｃの一端面が当接している。なお、図９に示すように、カッター部受容孔１４及びカッター部３０が１８０度の間隔を空けた２箇所に設けられている点も第３実施形態と異なる。また、先端閉塞盤２０Ｃには、工具係止凹部２０Ａに代えて角柱突部２０Ｋを備えた点も、第３実施形態と異なる。その他の構成に関しては、第１実施形態と同じである。
【００４７】
本実施形態によれば、弾性リング５０Ｃの内側にリング支持筒を備えずに弾性リング５０Ｃを小径化し、バリ取り工具１０Ｃの先端部における径方向のコンパクト化を図ることが可能になる。
【００４８】
［第５実施形態］
本実施形態は、図１０〜図１３に示されている。図１０に示すように、本実施形態のバリ取り工具１０Ｄの回転シャフト本体１２に備えた先端ヘッド部１３Ｄは、第１実施形態の回転シャフト本体１２の先端ヘッド部１３に比べて軸方向に偏平な形状をなしている。また、図１３に示すように、先端ヘッド部１３Ｄを軸方向から見ると正六角形になっている。そして、その正六角形の各辺の中心毎にカッター部受容孔１４が形成されて、そこにカッター部３０Ｄが受容されている。
【００４９】
本実施形態の弾性リング５０Ｄは、先端閉塞盤２０Ｄから突出した中心シャフト２２Ｄを、それから離れた位置で囲んでいる。そして、図１１に示すように、弾性リング５０Ｄの軸方向の両端面が、機構部屋１５Ｄの１と第２のリング端部当接面１５Ａ，１５Ｂに摺動可能に密着している。また、弾性リング５０Ｄの周方向を６等分する位置には円形の位置決め貫通孔５２が形成されている（図１２参照）。そして、カッター部３０Ｄの基端面から突出したエンボス３５が位置決め貫通孔５２に嵌合されている。これにより、位置決め貫通孔５２が閉塞されると共に、弾性リング５０Ｄに対してカッター部３０Ｄが位置決めされている。
【００５０】
本実施形態の構成によれば、位置決め貫通孔５２とエンボス３５との嵌合により、弾性リング５０Ｄとカッター部３０Ｄとの当接位置が安定し、カッター部３０Ｄの挙動も安定する。
【００５１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５２】
（１）前記各実施形態のバリ取り工具１０，１０Ａ〜１０Ｄは、カッター部３０，３０Ｄを複数備えていたが、カッター部を１つだけ備えた構成にしてもよい。
【００５３】
（２）前記各実施形態では、カッター部３０は、カッター部受容孔１４に嵌合することで往復動可能に支持されていたが、例えば、回動可能なレバーの先端部にカッター部を固定し、そのレバーの回動を伴ってカッター部がカッター部受容孔の内外方向に往復動する構成としてもよい。
【００５４】
（３）前記各実施形態では、回転シャフト１１の側面からカッター部３０が突出していたが、回転シャフトの端面からカッター部を突出させた構造にしてもよい。
【００５５】
（４）前記各実施形態の弾性リング５０に代えて、シート構造や袋構造の弾性部材で先端開口４５を塞ぎかつカッター部を押圧する構成にしてもよい。
【符号の説明】
【００５６】
１０，１０Ａ〜１０Ｄ    バリ取り工具
１１    回転シャフト
１２    回転シャフト本体
１２Ａ    円筒軸部
１３，１３Ｄ    先端ヘッド部
１４    カッター部受容孔
１５，１５Ｄ    機構部屋
１５Ａ  第１のリング端部当接面
１５Ｂ  第２のリング端部当接面
２０，２０Ｂ，２０Ｃ，２０Ｄ    先端閉塞盤
２２    リング支持筒
２２Ｄ  中心シャフト
２３    リング装着部
２６，２６    係合溝
３０，３０Ｄ    カッター部
３３Ｓ    段差ストッパ面
４０    シャフト内流路
４５，４５Ｃ    先端開口
４６    基端開口
５０，５０Ａ〜５０Ｄ    弾性リング
５０Ｍ    溝開口縁
５２    位置決め貫通孔
９３    バリ
Ｗ    ワーク
【図１】
2011110617.tif 000003
【図２】
2011110617.tif 000004
【図３】
2011110617.tif 000005
【図４】
2011110617.tif 000006
【図５】
2011110617.tif 000007
【図６】
2011110617.tif 000008
【図７】
2011110617.tif 000009
【図８】
2011110617.tif 000010
【図９】
2011110617.tif 000011
【図１０】
2011110617.tif 000012
【図１１】
2011110617.tif 000013
【図１２】
2011110617.tif 000014
【図１３】
2011110617.tif 000015